(57)【要約】【課題】放電ランプを取り囲む第１反射鏡と、該第１反射鏡と対向配置された第２反射鏡とを備えてなる光源装置において、第２反射鏡を第１反射鏡および放電ランプに対して正確に位置決めできるようにして、第２反射鏡からの反射光が正確に放電ランプの電極間に戻されるようにした構造を提供することである。【解決手段】前記第１もしくは第２反射鏡の一方の開口前端面に、円周方向に伸びて光軸方向の突出高さが変化するスロープ部が形成され、前記第１もしくは第２反射鏡の他方の開口前端面に、前記スロープ部に当接する突出部が形成されていることを特徴とする。【選択図】  図１
2011249074.tif 000002
【特許請求の範囲】
【請求項１】
対向する一対の電極を備えた放電ランプと、
該放電ランプを取り囲むように配置された、回転楕円面状の反射面を有する第１反射鏡と、
前記第１反射鏡と対向配置された、球面状の反射面を有する第２反射鏡と、
を備えてなる光源装置において、
前記第１もしくは第２反射鏡の一方の開口前端面には、円周方向に伸びて光軸方向の突出高さが変化するスロープ部が形成され、
前記第１もしくは第２反射鏡の他方の開口前端面には、前記スロープ部に当接する突出部が形成されている
ことを特徴とする光源装置。
【請求項２】
前記スロープ部および前記突出部が前記開口前端面の円周方向にそれぞれ複数設けられていることを特徴とする請求項１に記載の光源装置。
【請求項３】
前記突出部が、開口前端面の円周方向に伸びて光軸方向の突出高さが変化するスロープ部であることを特徴とする請求項１または２に記載の光源装置。
【発明の詳細な説明】
【技術分野】
【０００１】
この発明は、放電ランプと２つの反射鏡を備えた光源装置に関するものであり、特に、プロジェクタ装置に用いられる光源装置に係わるものである。
【背景技術】
【０００２】
ショートアーク型放電ランプは、発光管内に対向配置された一対の電極の先端距離が短く点光源に近いことから、反射鏡などの光学系と組み合わせることによって、効率よく光を利用することができ、映写機等のプロジェクタ装置用の光源装置として利用されている。
当該放電ランプと反射鏡とからなるプロジェクタ装置用光源装置として、放電ランプから反射鏡の直接前方に放射された光を有効利用する観点から、第２反射鏡を前記反射鏡に対向配置して前記放射光を放電ランプの電極間に戻し、これを反射鏡によって再反射して有効利用するという技術が採用されている。特開２００５−１９５６９２号公報がその一例である。
【０００３】
図４にその構造が示されており、一対の電極（不図示）が対向配置された放電ランプ２０を取り囲むように第１反射鏡２１が設けられており、該反射鏡２１は回転楕円面状の反射面２２を有している。
この第１反射鏡２１に対向するように第２反射鏡２３が配設されており、当該反射鏡２３は球面状の反射面２４を有していて、その焦点が前記放電ランプ２０の電極間に一致するように配置されている。
放電ランプ２０から第１反射鏡２１の前方に直接放射された光は、第２反射鏡２３の反射面２４によって反射されて、その反射光Ｘは前記放電ランプ２０の電極間に戻される。そして、前記第１反射鏡２１により再び反射されて反射光Ｙとして前方に放射され有効利用が図られるものである。
【０００４】
かかる従来技術においては、第２反射鏡２３からの反射光Ｘを正確に放電ランプ２０の電極間に戻すためには、球面状の反射面２４の焦点位置が前記放電ランプ２０の電極間に正確に位置していることが必要となる。
ところで、放電ランプ２０と第１反射鏡２１とは組み立て時には正確な位置合わせがなされ、接着剤などによって固定されるために、両者の位置関係は正確に確保される。しかしながら、第２反射鏡２３は、前記放電ランプ２０と第１反射鏡２１との組み立て構造に対して、後に取り付けられるものであるために、その焦点位置と放電ランプとの位置あわせが困難なものとなっている。
しかも、反射鏡自体の構造がどうしても個別に製造誤差を含むものであって、その位置あわせをより煩雑にし、不正確なものとなっている。
【０００５】
特に、この種の光源装置における反射鏡は可視光のみを反射させるという要請から、ガラスの基体に誘電体多層膜を蒸着したものが用いられている。このガラス製の反射鏡を精度よく成型することは困難なことであって、個別の製造誤差が避けられず、そのため放電ランプと反射鏡との位置決めの際には、実際に放電ランプを点灯して最適な照度となる位置で両者を固定するという作業が行われている。
ところが、光源装置が一の反射鏡により構成される場合は、上記のように放電ランプと一の反射鏡の位置関係を調節すればよいものであったが、前記従来技術のように第２反射鏡も用いた構造においては、この第２反射鏡は、放電ランプと第１反射鏡の組み立てられた構造体に対して取り付けられることになり、その位置関係を調節しなければならず、位置整合性を実現することが難しかった。
加えて、上記のように反射鏡の製造誤差にも由来して、なお更、位置の正確性が欠如するという問題があった。
【０００６】
特に、第２反射鏡が放電ランプに取り付けられず、第１反射鏡に対して対向配置して固定されるような構造のとき、該第２反射鏡を第１反射鏡及び放電ランプに正確に位置あわせすることは困難となっていた。
【先行技術文献】
【特許文献】
【０００７】
【特許文献１】特開２００５−１９５６９２号公報
【発明の概要】
【発明が解決しようとする課題】
【０００８】
この発明が解決しようとする課題は、放電ランプを取り囲む回転楕円形状の反射面を有する第１反射鏡と、該第１反射鏡と対向配置された、球面状の反射面を有する第２反射鏡とを備えてなる光源装置において、第２反射鏡を第１反射鏡および放電ランプに対して正確に位置決めできるようにして、第２反射鏡からの反射光が正確に放電ランプの電極間に戻されるようにした構造を提供するものである。
【課題を解決するための手段】
【０００９】
上記課題を解決するために、この発明に係る光源装置は、前記第１もしくは第２反射鏡の一方の開口前端面には、円周方向に伸びて光軸方向の突出高さが変化するスロープ部が形成され、前記第１もしくは第２反射鏡の他方の開口前端面には、前記スロープ部に当接する突出部が形成されていることを特徴とする。
また、前記スロープ部および突出部が前記開口前端面の円周方向にそれぞれ複数設けられていることを特徴とする。
更には、前記突出部が、開口前端面の円周方向に伸びて光軸方向の突出高さが変化するスロープ部であることを特徴とする。
【発明の効果】
【００１０】
この発明の光源装置によれば、放電ランプと第１反射鏡の組み立て構造体に第２反射鏡を取り付ける際に、該第２反射鏡をその光軸周りに回動させることにより、スロープ部と突出部によって第１反射鏡に対する光軸方向の位置を調整することができ、該第２反射鏡の焦点を放電ランプの電極間位置に正確に位置決めすることができるものである。
【図面の簡単な説明】
【００１１】
【図１】本発明の光源装置の断面図。
【図２】図１の反射鏡の展開斜視図。
【図３】図１の更に別角度の展開斜視図。
【図４】従来の光源装置の断面図。
【発明を実施するための形態】
【００１２】
図１において、図示しない一対の電極が対向配置された放電ランプ１は、回転楕円面状の反射面３を有する第１反射鏡２の後端首部４に接着剤等により取り付けられている。この第１反射鏡２の開放前端には取り付けフランジ５が形成されている。
一方、球面状の反射面７を有する第２反射鏡６が前記第１反射鏡２と対向配置されていて、その後端部には後端開口８が形成されている。
図２および図３に示すように、前記第２反射鏡５の開口前端面１０には、複数のスロープ部１１が形成されている。該スロープ部１１は、前端面１０の円周方向に伸びていて、反射鏡６の光軸方向への突出高さが徐々に変化している。
一方、前記第１反射鏡２の開口前端面１２には突起からなる突出部１３が形成されていて、前記第２反射鏡６が取り付けられたとき、該突出部１３は前記スロープ部１１に当接する。
【００１３】
第１図において、第１反射鏡２と第２反射鏡６とは、図示しない取り付け治具によって互いにその開口前端面が当接するように取り付けられる。そして、第２反射鏡６の取り付け時に、該第２反射鏡６をその光軸周りに回動すると、第１反射鏡２の突出部１３が第２反射鏡６のスロープ部１１に当接しているので、第２反射鏡６はその軸方向の位置が調節され、両者の間隙Ｓが変化する。即ち、第２反射鏡６が放電ランプ１に対して光軸方向の位置が調節され、その焦点位置と放電ランプ１の電極間位置との整合がなされる。
こうすることにより、放電ランプ１から第１反射鏡２の前面に直接出射される光は、第２反射鏡６によって反射され、その反射光Ｘは放電ランプ１の電極間に戻され、それが更に第１反射鏡２によって反射されて、この反射光Ｙが第２反射鏡６の後端開口８から出射されて有効に再利用される。
【００１４】
なお、図においては、スロープ部１１と突出部１３はそれぞれ４箇所に設けたものを記載したが、その数は限定されず、１つであってもよい。ただ、互いに当接した場合に反射鏡相互がぶれることがないようにするためには複数箇所に設けることが好ましい。
また、スロープ部１１と突出部１３は第１反射鏡２と第２反射鏡６のどちら側に設けてもよい。
さらには、突出部１３はスロープ部１１と同様な形状のスロープ部としてもよく、その場合、スロープの高さ変化は互いに逆の関係になる。
また、第１反射鏡２にはフランジ５を設け、その開口前端面に突出部１３を設けるものとしたが、フランジ５は設けなくてもよいし、あるいは、第２反射鏡６にもフランジを設ける構造としてもよい。
【００１５】
以上説明したように、本発明に係る光源装置は、放電ランプを取り囲む第１反射鏡もしくは、該第１反射鏡と対向配置された第２反射鏡のどちらか一方の開口前端面に、円周方向に伸びて光軸方向の突出高さが変化するスロープ部が形成され、他方の反射鏡の開口前端面に、前記スロープ部に当接する突出部が形成された構造としたので、第２反射鏡を取り付ける際に、該第２反射鏡を光軸周りに回動することによってその光軸方向の位置を調節することができ、該第２反射鏡を放電ランプおよび第１反射鏡に対して最適な位置に取り付けることができる。
その結果、該第２反射鏡の焦点を放電ランプの電極間に一致させることができて、該第２反射鏡からの反射光を正確に放電ランプの電極間に戻すことができるので、この反射光を第１反射鏡によって有効な放射光として再利用できるものである。
【符号の説明】
【００１６】
１          放電ランプ
２          第１反射鏡
３          回転楕円面状の反射面
４          後端首部
５          フランジ
６          第２反射鏡
７          球面状の反射面
８          後部開口
１０        第２反射鏡の開口前端面
１１        スロープ部
１２        第１反射鏡の開口前端面
１３        突出部
Ｓ          第１反射鏡の開口前端面と第２反射鏡の開口前端面の隙間
【図１】
2011249074.tif 000003
【図２】
2011249074.tif 000004
【図３】
2011249074.tif 000005
【図４】
2011249074.tif 000006